(57)【要約】【課題】  色素系追記型ＤＶＤ媒体に対して高線速記録を行う際に、良好な記録波形を得ることができる記録再生方法、記録再生装置、記録再生プログラム及び記録媒体の提供を主な目的とし、データの書き足し部における未記録領域を無くすことができ、スタンパ作製時に於ける微細なカット幅制御やＬＰＰ信号のデータ部への漏れ出しによるデータエラーが生じない記録再生方法、記録再生装置、記録再生プログラム及び記録媒体の提供を副次的な目的とする。【解決手段】  色素系追記型ＤＶＤ媒体に対し、何れの線速度でも低ジッタ、低エラー率な記録が可能であり、ＤＶＤ−Ｒで用いているランドプリピットフォーマットよりも簡単に製造可能な高周波ウォブルフォーマットでデータ部の書き足しを効率良く実施できる。しかも、現在、大量に製造されているＣＤ−Ｒ、ＣＤ−ＲＷとほぼ同一フォーマットの色素系追記型ＤＶＤ媒体に対して記録が可能である。【選択図】  図１
2006344252.tif 000002
【特許請求の範囲】
【請求項１】
記録層にパルス光でマークを記録し、該記録を再生光で再生する記録再生方法であって、前記記録時に前記パルス光の後端部以降のクーリングパルスの照射光量を一定時間所定の値以下とし、かつ記録線速度を所定の値以上とすることを特徴とする記録再生方法。
【請求項２】
追記型ＤＶＤ媒体の記録層にパルス光で最短長マークを記録し、パルス先端部のパワーが前記パル色素系ス光の後端部のパワーと等しく、パルス後端部のパワーが前記パルス光の先端部のパワーより低いパルス光で２番目以降の長さのマークを記録し、該記録を再生光で再生する記録再生方法であって、前記記録時にパルス後端部以降のクーリングパルスの照射光量を一定時間所定の値以下とし、かつ記録線速度を所定の値以上とすることを特徴とする記録再生方法。
【請求項３】
色素系追記型ＤＶＤ媒体のウォブルを設けた案内溝を有する基板上に形成された有機色素を主成分とする記録層に対し、最も高出力化された１つのパルス光で最短長マークの先端を記録し、パルス先端部及びパルス後端部の２カ所が一定時間高出力化され、該パルス先端部のパワーは前記最短長マークのパルス光のパルス後端部のパワーと等しく、該パルス後端部のパワーは前記パルス先端部のパワーより低いパルス光で２番目以降の長さのマークを記録し、該記録を再生光で再生する記録再生方法であって、前記マーク記録時に、パルス後端部以降のクーリングパルスの照射光量を、一定時間０．１ｍＷ以下とし、かつ記録線速度を所定の値以上とすることを特徴とする記録再生方法。
【請求項４】
パルス後端部以降にクーリングパルスを照射する時間を、最短長スペースの１／６〜６／６の長さとすることを特徴とする請求項１から３の何れかに記載の記録再生方法。
【請求項５】
直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することを特徴とする請求項１から４の何れかに記載の記録再生方法。
【請求項６】
前記ウォブルは、基本クロック周期をＴとして４Ｔ〜９６Ｔ相当の周波数とすることを特徴とする請求項３から５の何れかに記載の記録再生方法。
【請求項７】
前記ウォブルの振幅（Ｗｏ）と、トラックエラーを検出制御するための、２分割光検出器による差信号であるプッシュプル振幅（ＰＰ）との比「Ｗｏ／ＰＰ」を、０．１≦Ｗｏ／ＰＰ≦０．４の範囲として同期合わせすることを特徴とする請求項３から６の何れかに記載の記録再生方法。
【請求項８】
記録用のパルス光の波長が６００ｎｍ〜７２０ｎｍであることを特徴とする請求項３から７の何れかに記載の記録再生方法。
【請求項９】
記録用のパルス光及び再生用のパルス光の波長±５ｎｍの波長域の光に対して、記録層単層の屈折率ｎが１．５≦ｎ≦３．０であり、消衰係数ｋが０．０２≦ｋ≦０．２であることを特徴とする請求項３から８の何れかに記載の記録再生方法。
【請求項１０】
記録層の分解開始温度が１００℃〜３６０℃であることを特徴とする請求項３から９の何れかに記載の記録再生方法。
【請求項１１】
色素系追記型ＤＶＤ媒体が、基板上に、色素含有記録層と、反射層、保護層、接着層、保護基板及び基板面ハードコート層から選択される少なくとも１つの層とを有することを特徴とする請求項３から１０の何れかに記載の記録再生方法。
【請求項１２】
色素系追記型ＤＶＤ媒体が反射層を有し、該反射層が、金、銀、アルミニウムの何れか、又はそれらを主成分とする合金であることを特徴とする請求項３から１１の何れかに記載の記録再生方法。
【請求項１３】
色素系追記型ＤＶＤ媒体が保護層を有し、該保護層が紫外線硬化樹脂からなることを特徴とする請求項３から１２の何れかに記載の記録再生方法。
【請求項１４】
色素系追記型ＤＶＤ媒体が、第１基板と第２基板との間に、少なくとも色素含有記録層と反射層と保護層と接着層とをこの順に有する層構成、及び、少なくとも第１色素含有記録層と第１反射層と第１保護層と接着層と第２保護層と第２反射層と第２色素含有記録層とをこの順に有する層構成、のいずれかを有し、前記色素追記型ＤＶＤ媒体の少なくとも片方の面に記録再生面を有することを特徴とする請求項１１から１３のいずれかに記載の記録再生方法。
【請求項１５】
前記接着層が、紫外線硬化樹脂を含むことを特徴とする請求項１４に記載の記録再生方法。
【請求項１６】
色素系追記型ＤＶＤ媒体の記録層にパルス光でマークを記録する記録手段と、該記録を再生光で再生する再生手段とを有する記録再生装置であって、前記記録時にパルス後端部以降のクーリングパルスの照射光量を一定時間所定の値以下とし、かつ記録線速度を所定の値以上とする制御手段を備えたことを特徴とする記録再生装置。
【請求項１７】
色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録する記録手段と、該記録を再生光で再生する再生手段とを有する記録再生装置であって、前記記録時にパルス後端部以降のクーリングパルスの照射光量を一定時間所定の値以下とし、かつ記録線速度を所定の値以上とする制御手段を備えたことを特徴とする記録再生装置。
【請求項１８】
ウォブルを設けた案内溝を有する基板上に少なくとも色素含有記録層を有する色素系追記型ＤＶＤ媒体に記録再生を行う記録再生装置であって、最短長マークの先端が、最も高出力化された１つのパルス光で記録し、２番目以降の長さのマークを、パルス先端部と後端部の２カ所が一定時間高出力化され、該先端部パワーは最短長マークパルスの後端部パワーと等しく、該後端部パワーは該先端部パワーより低いパルス光でマークを記録する記録手段と、前記記録を再生光で再生する再生手段とを有してなり、前記記録手段によるマーク記録時に、パルス後端部以降のクーリングパルスの照射光量が一定時間０．１ｍＷ以下であり、かつ記録線速度が所定の値以上であるように制御する制御手段を備えたことを特徴とする記録再生装置。
【請求項１９】
前記制御手段は、パルス光の後端部以降にクーリングパルスを照射する時間を、最短長スペースの１／６〜６／６の長さとすることを特徴とする請求項１６から１８の何れかに記載の記録再生装置。
【請求項２０】
前記制御手段は、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定することを特徴とする請求項１６から１９いずれかに記載の記録再生装置。
【請求項２１】
実質的なコンピュータが記録手段に、色素系追記型ＤＶＤ媒体の記録層にパルス光でマークを記録させる処理と、再生手段に該記録を再生光で再生させる処理とを実行させる記録再生プログラムであって、前記コンピュータに、前記記録時にパルス後端部以降のクーリングパルスの照射光量を一定時間所定の値以下とし、かつ記録線速度を所定の値以上とする処理を実行させることを特徴とする記録再生プログラム。
【請求項２２】
実質的なコンピュータが記録手段に、色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録させる処理と、再生手段に該記録を再生光で再生させる処理とを実行させる記録再生プログラムであって、前記コンピュータに、前記記録時にパルス後端部以降のクーリングパルスの照射光量を一定時間所定の値以下とし、かつ記録線速度を所定の値以上とする処理を実行させることを特徴とする記録再生プログラム。
【請求項２３】
実質的なコンピュータが記録手段及び再生手段に、ウォブルを設けた案内溝を有する基板上に少なくとも色素含有記録層を有する色素系追記型ＤＶＤ媒体に記録再生を実行させる記録再生プログラムであって、前記コンピュータが、記録手段に最短長マークの先端が、最も高出力化された１つのパルス光で記録し、２番目以降の長さのマークを、パルス先端部と後端部の２カ所が一定時間高出力化され、該先端部パワーは最短長マークパルスの後端部パワーと等しく、該後端部パワーは該先端部パワーより低いパルス光でマークを記録させる処理と、再生手段に前記記録を再生光で再生する処理とを実行させる際に、前記記録手段によるマーク記録時に、パルス後端部以降のクーリングパルスの照射光量が一定時間０．１ｍＷ以下であり、かつ記録線速度が所定の値以上であるように制御する処理を実行させることを特徴とする記録再生プログラム。
【請求項２４】
前記コンピュータは、パルス光の後端部以降にクーリングパルスを照射する時間を、最短長スペースの１／６〜６／６の長さとすることを特徴とする請求項２０から２３の何れかに記載の記録再生プログラム。
【請求項２５】
前記コンピュータは、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定することを特徴とする請求項２０から２４のいずれかに記載の記録再生プログラム。
【請求項２６】
実質的なコンピュータが記録手段に、色素系追記型ＤＶＤ媒体の記録層にパルス光でマークを記録させる処理と、再生手段に該記録を再生光で再生させる処理とを実行させる記録再生プログラムを記録した記録媒体であって、前記コンピュータに、前記記録時にパルス後端部以降のクーリングパルスの照射光量を一定時間所定の値以下とし、かつ記録線速度を所定の値以上とする処理を実行させる記録再生プログラムを記録したことを特徴とする記録媒体。
【請求項２７】
実質的なコンピュータが記録手段に、色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録させる処理と、再生手段に該記録を再生光で再生させる処理とを実行させる記録再生プログラムを記録した記録媒体であって、前記コンピュータに、前記記録時にパルス後端部以降のクーリングパルスの照射光量を一定時間所定の値以下とし、かつ記録線速度を所定の値以上とする処理を実行させる記録再生プログラムを記録したことを特徴とする記録媒体。
【請求項２８】
実質的なコンピュータが記録手段及び再生手段に、ウォブルを設けた案内溝を有する基板上に少なくとも色素含有記録層を有する色素系追記型ＤＶＤ媒体に記録再生を実行させる記録再生プログラムを記録した記録媒体であって、前記コンピュータが、記録手段に最短長マークの先端が、最も高出力化された１つのパルス光で記録し、２番目以降の長さのマークを、パルス先端部と後端部の２カ所が一定時間高出力化され、該先端部パワーは最短長マークパルスの後端部パワーと等しく、該後端部パワーは該先端部パワーより低いパルス光でマークを記録させる処理と、再生手段に前記記録を再生光で再生する処理とを実行させる際に、前記記録手段によるマーク記録時に、パルス後端部以降のクーリングパルスの照射光量が一定時間０．１ｍＷ以下であり、かつ記録線速度が所定の値以上であるように制御する処理を実行させる記録再生プログラムを記録したことを特徴とする記録媒体。
【請求項２９】
前記コンピュータは、パルス光の後端部以降にクーリングパルスを照射する時間を、最短長スペースの１／６〜６／６の長さとすることを特徴とする請求項２５から２８の何れかに記載の記録媒体。
【請求項３０】
前記コンピュータは、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定することを特徴とする請求項２５から２９の何れかに記載の記録媒体。 
【発明の詳細な説明】
【技術分野】
【０００１】
本発明は、記録再生方法、記録再生装置、記録再生プログラム及び記録媒体に関するものであって、特に光ビームを照射することにより、記録材料の透過率、反射率等の光学的な変化を生じさせ、情報の記録、再生を行ない、かつ追記が可能な記録再生方法、記録再生装置、記録再生プログラム及び記録再生プログラムを記録した記録媒体に関する。
【背景技術】
【０００２】
色素を記録材料として高周波ウォブルを用いた記録媒体と記録方法とが開発されている（例えば、特許文献１参照）。
また、矩形波または１マークに対し１本のパルス光を用いる記録方法が開発されている（例えば、特許文献２参照）。
【０００３】
さらに、色素を記録材料として用い、マルチパルス記録を用いたもの（例えば、特許文献３参照）、ポリメチン色素を記録材料として用いた記録媒体（例えば、特許文献４参照）、ポリメチン色素と光安定化材とを記録材料として用いた記録媒体（例えば、特許文献５参照）、アゾ金属キレート色素と金属反射層とを記録材料として用いた記録媒体（例えば、特許文献６参照）、テトラアザポルフィリン(ポルフィラジン)色素と金属反射層とを記録材料として用いた記録媒体（例えば、特許文献７参照）が開発されている。
【０００４】
また、上記以外の他の色素と金属反射層とを記録材料として用いた記録媒体（例えば、特許文献８参照）、シアニン色素とアゾ金属キレート色素（塩形成色素）と金属反射層とを記録材料として用いた記録媒体（例えば、特許文献９参照）、ホルマザン(金属キレート)色素と上記以外の他の色素とを記録材料として用いた記録媒体（例えば、特許文献１０参照）、ジピロメテン(金属キレート)色素と上記以外の他の色素とを記録材料として用いた記録媒体（例えば、特許文献１１参照）がそれぞれ開発されている。
【特許文献１】特開２００２−０８３４４４号公報
【特許文献２】特開２００１−２４３６２６号公報
【特許文献３】特開２０００−０３０２５４号公報
【特許文献４】特開平１０−０８３５７７号公報
【特許文献５】特開平１０−１０９４７５号公報
【特許文献６】特公平５−０６７４３８号公報
【特許文献７】特開平９−２６７５６２号公報
【特許文献８】特開平１０−０８６５１７号公報
【特許文献９】特開平７−０５１６８２号公報
【特許文献１０】特開平８−２９５０７９号公報
【特許文献１１】特開平１０−１６２４３０号公報
【発明の開示】
【発明が解決しようとする課題】
【０００５】
ところで、現在、大容量光ディスクとしてＤＶＤ（Digital Video Disk）±Ｒ(Recordable：追記型)の高速化開発が進められている。記録容量の向上の要素技術は、記録ピット微少化のための記録材料開発、ＷＰＥＧ２に代表される画像圧縮技術の採用、記録ピット読みとりのため、半導体レーザの短波長化等の技術開発が必要である。これまで赤色波長域の半導体レーザとしては、バーコードリーダ、計測器用に発振波長が６７０ｎｍ帯のＡｌＧａＩｎＰレーザダイオードが商品化されているのみであったが、光ディスクの高密度化に伴い、赤色レーザが本格的に光ストレージ市場で使用されている。
ＤＶＤドライブの場合、光源として発振波長が６３５ｎｍ帯のレーザダイオードと発振波長が６５０ｎｍ帯のレーザダイオードとの２つの波長のレーザダイオードで規格化されている。
【０００６】
一方、再生専用のＤＶＤ−ＲＯＭ（Read Only Memory：読み出し専用メモリ）ドライブは発振波長が６５０ｎｍ程度で商品化されている。
一般的にヒートモードによってピット（マーク）が形成される色素系追記型ＤＶＤ媒体は、特定の記録速度において記録時のレーザ発光による記録パルスのパルス幅と記録パワーとが最適化され、異なった記録線速度では形成されるマークやスペースの状態が変化する。
即ち、マークの形成に必要な加熱パルスによる熱容量の不足が生じたり、最適な分解温度に対して到達する加熱温度が異なってマークの平均長がばらついたり、最適な加熱パルスのデューティ比が異なって均一なマーク幅が得られなくなりマーク長に応じて太りや細りが生じたりするため、ジッタ特性が悪化してしまう。
【０００７】
また、ＤＶＤ−Ｒにおける高線速記録においては従来例の特開２００４−３０３４００号公報等で４２ｍ／ｓより低速の記録であれば、高品位な記録が可能であるが、それ以上の記録線速で記録すると記録媒体によっては充分な品質が得られない場合があった。
また、ＤＶＤ系媒体の物理フォーマットに関しては、ＤＶＤ−Ｒ媒体のフォーマットの場合、ランドプリピットと呼ばれるランド部の一部をカットしたフォーマットで規格化されている。この方式をとると、ランドプリピット信号（ＬＰＰｂ）が０．１６未満ではプリピットアドレス等のプリピット情報が良好に再生出来ず、０．３２を超えるとＬＰＰ信号自体がデータ領域においてノイズ的な振る舞いをし、データエラーが多く発生してしまう。
【０００８】
従って、ＬＰＰは、記録材料に合ったカット幅をスタンパで微調整して、ＬＰＰｂが０．１６〜０．３２の範囲になるようにランドカット幅を制御しなければならない。なお、色素を記録層に用いた光記録媒体の公知例としては、ポリメチン色素或いはポリメチン色素と光安定化材を記録材料として用いるもの、テトラアザポルフィリン（ポルフィラジン）色素又はシアニン色素とアゾ金属キレート色素（塩形成色素）とからなる層と反射層とを記録層とするもの、ホルマザン（金属キレート）色素とその他の色素とを記録材料として用いるもの、ジピロメテン（金属キレート）色素とその他の色素を記録材料として用いるものなどがあり、枚挙に暇がない。
【０００９】
また、記録材料に色素を用いマルチパルス記録を行うものも多数知られているが、本発明者等の知る限り、色素系追記型ＤＶＤ媒体に対し１パルスで記録を行い、かつ高線速記録を行う際の記録波形に着目した文献は見当たらない。
【００１０】
そこで、本発明は、色素系追記型ＤＶＤ媒体に対して高線速記録を行う際に、良好な記録波形を得ることができる記録再生方法、記録再生装置、記録再生プログラム及び記録媒体の提供を主な目的とする。また、本発明は、データの書き足し部における未記録領域を無くすことができ、スタンパ作製時に於ける微細なカット幅制御やＬＰＰ信号のデータ部への漏れ出しによるデータエラーが生じない記録再生方法、記録再生装置、記録再生プログラム及び記録媒体の提供を副次的な目的とする。
【課題を解決するための手段】
【００１１】
上記課題を解決するため、請求項１記載の発明は、記録層にパルス光でマークを記録し、該記録を再生光で再生する記録再生方法であって、前記記録時に前記パルス光の後端部以降のクーリングパルスの照射光量を一定時間所定の値以下とし、かつ記録線速度を所定の値以上とすることを特徴とする。
【００１２】
請求項１記載の発明によれば、記録時にパルス光の後端部以降のクーリングパルスの照射光量を一定時間所定の値以下とし、かつ記録線速度を所定の値以上とすることにより、パルス光から記録層へのエネルギーが最適化されるので、高線速記録を行う際に、良好な記録波形を得ることができる。
【００１３】
請求項２記載の発明は、色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録し、該記録を再生光で再生する記録再生方法であって、前記記録時にパルス後端部以降のクーリングパルスの照射光量を一定時間所定の値以下とし、かつ記録線速度を所定の値以上とすることを特徴とする。
【００１４】
請求項２記載の発明によれば、記録時にパルス光の後端部以降のクーリングパルスの照射光量を一定時間所定の値以下とし、かつ記録線速度を所定の値以上とすることにより、パルス光から色素系追記型ＤＶＤ媒体の記録層へのエネルギーが最適化されるので、高線速記録を行う際に、良好な記録波形を得ることができる。
【００１５】
請求項３記載の発明は、色素系追記型ＤＶＤ媒体のウォブルを設けた案内溝を有する基板上に形成された有機色素を主成分とする記録層に対し、最も高出力化された１つのパルス光で最短長マークの先端を記録し、パルス先端部及びパルス後端部の２カ所が一定時間高出力化され、該パルス先端部のパワーは前記最短長マークのパルス光のパルス後端部のパワーと等しく、該パルス後端部のパワーは前記パルス先端部のパワーより低いパルス光で２番目以降の長さのマークを記録し、該記録を再生光で再生する記録再生方法であって、前記マーク記録時に、パルス後端部以降のクーリングパルスの照射光量を、一定時間０．１ｍＷ以下とし、かつ記録線速度を所定の値（好ましくは４２ｍ／ｓ以上８４ｍ／ｓ以下）とすることを特徴とする。
【００１６】
請求項３記載の発明によれば、記録時にパルス光の後端部以降のクーリングパルスの照射光量を、一定時間０．１ｍＷ以下とし、かつ記録線速度を所定の値（４２ｍ／ｓ以上８４ｍ／ｓ以下）とすることにより、パルス光から色素系追記型ＤＶＤ媒体の記録層へのエネルギーが最適化されるので、高線速記録を行う際に、良好な記録波形を得ることができる。
【００１７】
請求項４記載の発明は、請求項１から３の何れかに記載の発明において、パルス後端部以降にクーリングパルスを照射する時間を、最短長スペースの１／６〜６／６の長さとすることを特徴とする。
【００１８】
請求項４記載の発明によれば、パルス後端部以降にクーリングパルスを照射する時間を、最短長スペースの１／６〜６／６の長さとすることにより、記録品質を一層向上させることが可能なため、より好ましいクーリングパルス範囲となり、高線速記録を行う際に、良好な記録波形を得ることができる。
【００１９】
請求項５記載の発明は、請求項１から４の何れかに記載の発明において、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することを特徴とする。
【００２０】
請求項５記載の発明によれば、直前のスペース長が最短長であるマークを形成する記録パルスの加熱パルス幅を、そのマークの長さが最短長であるか否かで区別し、最短長マークの加熱パルス幅を最短長でないマークの加熱パルス幅よりも長く設定し、かつ、最短長マークを形成する記録パルスの加熱パルス幅を、最短長マークの直前のスペース長が最短長であるか否かで区別し、直前のスペース長が最短であるマークの加熱パルス幅を、直前のスペース長が最短でないマークの加熱パルス幅よりも短く設定することにより、区尾品質な記録、すなわち低ジッタ化が実現できる。この結果、高線速記録を行う際に、良好な記録波形を得ることができる。
【００２１】
請求項６記載の発明は、請求項３から５の何れかに記載の発明において、前記ウォブルは、基本クロック周期をＴとして４Ｔ〜９６Ｔ相当の周波数とすることを特徴とする。
【００２２】
請求項６記載の発明によれば、ウォブルを基本クロック周期をＴとして４Ｔ〜９６Ｔ相当の周波数とすることにより、高線速記録を行う際に、良好な記録波形を得ることができると共にデータを追記する場合の位置合わせを容易に行え、かつデータ間隔をあけることなく実施できる。
【００２３】
請求項７記載の発明は、請求項３から６の何れかに記載の発明において、前記ウォブルの振幅（Ｗｏ）と、トラックエラーを検出制御するための、２分割光検出器による差信号であるプッシュプル振幅（ＰＰ）との比「Ｗｏ／ＰＰ」を、０．１≦Ｗｏ／ＰＰ≦０．４の範囲として同期合わせすることを特徴とする。
【００２４】
請求項７記載の発明によれば、比「Ｗｏ／ＰＰ」を、０．１≦Ｗｏ／ＰＰ≦０．４の範囲として同期合わせすることにより、ウォブルでの同期合わせが容易となり、スタンパの歩留まりや媒体の歩留まりを飛躍的に向上させることができる。
【００２５】
請求項８記載の発明は、請求項３から７の何れかに記載の発明において、記録用のパルス光の波長が６００ｎｍ〜７２０ｎｍであることを特徴とする。
【００２６】
請求項８記載の発明によれば、記録用のパルス光の波長が６００ｎｍ〜７２０ｎｍであることにより、高線速記録を行う際に、良好な記録波形を得ることができる。
【００２７】
請求項９記載の発明は、請求項３から８の何れかに記載の発明において、記録用のパルス光及び再生用のパルス光の波長±５ｎｍの波長域の光に対して、記録層単層の屈折率ｎが１．５≦ｎ≦３．０であり、消衰係数ｋが０．０２≦ｋ≦０．２であることを特徴とする。
【００２８】
請求項９記載の発明によれば、記録層単層の屈折率ｎが１．５≦ｎ≦３．０であり、消衰係数ｋが０．０２≦ｋ≦０．２であることにより、反射率及び記録変調度が最適化され、高線速記録を行う際に、良好な記録波形を得ることができる。
【００２９】
請求項１０記載の発明は、請求項３から９の何れかに記載の発明において、記録層の分解開始温度が１００℃〜３６０℃であることを特徴とする。
【００３０】
請求項１０記載の発明によれば、記録層の分解開始温度が１００℃〜３６０℃であることにより、高線速記録を行う際に、良好な記録波形を得ることができる。
【００３１】
請求項１１記載の発明は、請求項３から１０の何れかに記載の発明において、色素系追記型ＤＶＤ媒体が、基板上に、色素含有記録層と、反射層、保護層、接着層、保護基板及び基板面ハードコート層から選択される少なくとも１つの層とを有することを特徴とする。
【００３２】
請求項１１記載の発明によれば、色素系追記型ＤＶＤ媒体が、基板上に、色素含有記録層と、反射層、保護層、接着層、保護基板及び基板面ハードコート層から選択される少なくとも１つの層とを有することにより、ＤＶＤ媒体の耐久性が向上すると共に、高線速記録を行う際に、良好な記録波形を得ることができる。
【００３３】
請求項１２記載の発明は、請求項３から１１の何れかに記載の発明において、色素系追記型ＤＶＤ媒体が反射層を有し、該反射層が、金、銀、アルミニウムの何れか、又はそれらを主成分とする合金であることを特徴とする。
【００３４】
請求項１２記載の発明によれば、反射層が、金、銀、アルミニウムの何れか、又はそれらを主成分とする合金であることにより、反射層の材料が入手容易となって生産性が向上し、高い反射率が得られると共に、高線速記録を行う際に、良好な記録波形を得ることができる。
【００３５】
請求項１３記載の発明は、請求項３から１２の何れかに記載の発明において、色素系追記型ＤＶＤ媒体が保護層を有し、該保護層が紫外線硬化樹脂からなることを特徴とする。
【００３６】
請求項１３記載の発明によれば、保護層が紫外線硬化樹脂からなることにより、保護層の材料の入手が容易となって生産性が向上し、紫外線硬化樹脂塗布した後、紫外線を照射するだけで硬化するので、製造が容易となる。
【００３７】
請求項１４記載の発明は、請求項１１から１３の何れかに記載の発明において、色素系追記型ＤＶＤ媒体が、第１基板と第２基板との間に、少なくとも色素含有記録層と反射層と保護層と接着層とをこの順に有する層構成、及び、少なくとも第１色素含有記録層と第１反射層と第１保護層と接着層と第２保護層と第２反射層と第２色素含有記録層とをこの順に有する層構成、のいずれかを有し、前記色素追記型ＤＶＤ媒体の少なくとも片方の面に記録再生面を有することを特徴とする。
【００３８】
請求項１４記載の発明によれば、色素系追記型ＤＶＤ媒体が、第１基板と第２基板との間に、少なくとも色素含有記録層と反射層と保護層と接着層とをこの順に有する層構成を有する場合には両面に記録再生面が得られ、少なくとも第１色素含有記録層と第１反射層と第１保護層と接着層と第２保護層と第２反射層と第２色素含有記録層とをこの順に有する層構成を有する場合には片面に記録再生面が得られる。
【００３９】
請求項１５記載の発明は、請求項１４記載の発明において、前記接着層が、紫外線硬化樹脂を含むことを特徴とする。
【００４０】
請求項１５記載の発明によれば、接着層が紫外線硬化樹脂を含むことにより、接着剤を脂塗布した後、紫外線を照射するだけで硬化するので、ＤＶＤ媒体の耐性が向上して信頼線が向上する。
【００４１】
請求項１６記載の発明は、色素系追記型ＤＶＤ媒体の記録層にパルス光でマークを記録する記録手段と、該記録を再生光で再生する再生手段とを有する記録再生装置であって、前記記録時にパルス後端部以降のクーリングパルスの照射光量を一定時間所定の値以下とし、かつ記録線速度を所定の値以上とする制御手段を備えたことを特徴とする。
【００４２】
請求項１６記載の発明によれば、記録時にパルス後端部以降のクーリングパルスの照射光量を一定時間所定の値以下とし、かつ記録線速度を所定の値以上とする制御手段を備えたことにより、記録時にパルス光の後端部以降のクーリングパルスの照射光量を一定時間所定の値以下とし、かつ記録線速度を所定の値以上とすることにより、パルス光から記録層へのエネルギーが最適化されるので、高線速記録を行う際に、良好な記録波形を得ることができる。
【００４３】
請求項１７記載の発明は、色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録する記録手段と、該記録を再生光で再生する再生手段とを有する記録再生装置であって、前記記録時にパルス後端部以降のクーリングパルスの照射光量を一定時間所定の値以下とし、かつ記録線速度を所定の値以上とする制御手段を備えたことを特徴とする。
【００４４】
請求項１７記載の発明によれば、記録時にパルス後端部以降のクーリングパルスの照射光量を一定時間所定の値以下とし、かつ記録線速度を所定の値以上とする制御手段を備えたことにより、記録時にパルス光の後端部以降のクーリングパルスの照射光量を一定時間所定の値以下とし、かつ記録線速度を所定の値以上とすることにより、パルス光から色素系追記型ＤＶＤ媒体の記録層へのエネルギーが最適化されるので、高線速記録を行う際に、良好な記録波形を得ることができる
【００４５】
請求項１８記載の発明は、ウォブルを設けた案内溝を有する基板上に少なくとも色素含有記録層を有する色素系追記型ＤＶＤ媒体に記録再生を行う記録再生装置であって、最短長マークの先端が、最も高出力化された１つのパルス光で記録し、２番目以降の長さのマークを、パルス先端部と後端部の２カ所が一定時間高出力化され、該先端部パワーは最短長マークパルスの後端部パワーと等しく、該後端部パワーは該先端部パワーより低いパルス光でマークを記録する記録手段と、前記記録を再生光で再生する再生手段とを有してなり、前記記録手段によるマーク記録時に、パルス後端部以降のクーリングパルスの照射光量が一定時間０．１ｍＷ以下であり、かつ記録線速度が所定の値（好ましくは４２ｍ／ｓ以上８４ｍ／ｓ以下）であるように制御する制御手段を備えたことを特徴とする。
【００４６】
請求項１８記載の発明によれば、記録時にパルス光の後端部以降のクーリングパルスの照射光量を、一定時間０．１ｍＷ以下とし、かつ記録線速度を所定の値（４２ｍ／ｓ以上８４ｍ／ｓ以下）とすることにより、パルス光から色素系追記型ＤＶＤ媒体の記録層へのエネルギーが最適化されるので、高線速記録を行う際に、良好な記録波形を得ることができる。
【００４７】
請求項１９記載の発明は、請求項１６から１８の何れかに記載の発明において、前記制御手段は、パルス光の後端部以降にクーリングパルスを照射する時間を、最短長スペースの１／６〜６／６の長さとすることを特徴とする。
【００４８】
請求項１９記載の発明によれば、パルス後端部以降にクーリングパルスを照射する時間を、最短長スペースの１／６〜６／６の長さとすることにより、記録品質を一層向上させることが可能なため、より好ましいクーリングパルス範囲となり、高線速記録を行う際に、良好な記録波形を得ることができる。
【００４９】
請求項２０記載の発明は、請求項１６から１９の何れかに記載の発明において、前記制御手段は、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定することを特徴とする。
【００５０】
請求項２０記載の発明によれば、直前のスペース長が最短長であるマークを形成する記録パルスの加熱パルス幅を、そのマークの長さが最短長であるか否かで区別し、最短長マークの加熱パルス幅を最短長でないマークの加熱パルス幅よりも長く設定し、かつ、最短長マークを形成する記録パルスの加熱パルス幅を、最短長マークの直前のスペース長が最短長であるか否かで区別し、直前のスペース長が最短であるマークの加熱パルス幅を、直前のスペース長が最短でないマークの加熱パルス幅よりも短く設定することにより、区尾品質な記録、すなわち低ジッタ化が実現できる。この結果、高線速記録を行う際に、良好な記録波形を得ることができる。
【００５１】
請求項２１記載の発明は、実質的なコンピュータが記録手段に、色素系追記型ＤＶＤ媒体の記録層にパルス光でマークを記録させる処理と、再生手段に該記録を再生光で再生させる処理とを実行させる記録再生プログラムであって、前記コンピュータに、前記記録時にパルス後端部以降のクーリングパルスの照射光量を一定時間所定の値以下とし、かつ記録線速度を所定の値以上とする処理を実行させることを特徴とする。
【００５２】
請求項２１記載の発明によれば、記録時にパルス光の後端部以降のクーリングパルスの照射光量を一定時間所定の値以下とし、かつ記録線速度を所定の値以上とすることにより、パルス光から記録層へのエネルギーが最適化されるので、高線速記録を行う際に、良好な記録波形を得ることができる。
【００５３】
請求項２２記載の発明は、実質的なコンピュータが記録手段に、色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録させる処理と、再生手段に該記録を再生光で再生させる処理とを実行させる記録再生プログラムであって、前記コンピュータに、前記記録時にパルス後端部以降のクーリングパルスの照射光量を一定時間所定の値以下とし、かつ記録線速度を所定の値以上とする処理を実行させることを特徴とする。
【００５４】
請求項２２記載の発明によれば、記録時にパルス光の後端部以降のクーリングパルスの照射光量を一定時間所定の値以下とし、かつ記録線速度を所定の値以上とすることにより、パルス光から色素系追記型ＤＶＤ媒体の記録層へのエネルギーが最適化されるので、高線速記録を行う際に、良好な記録波形を得ることができる。
【００５５】
請求項２３記載の発明は、実質的なコンピュータが記録手段及び再生手段に、ウォブルを設けた案内溝を有する基板上に少なくとも色素含有記録層を有する色素系追記型ＤＶＤ媒体に記録再生を実行させる記録再生プログラムであって、前記コンピュータが、記録手段に最短長マークの先端が、最も高出力化された１つのパルス光で記録し、２番目以降の長さのマークを、パルス先端部と後端部の２カ所が一定時間高出力化され、該先端部パワーは最短長マークパルスの後端部パワーと等しく、該後端部パワーは該先端部パワーより低いパルス光でマークを記録させる処理と、再生手段に前記記録を再生光で再生する処理とを実行させる際に、前記記録手段によるマーク記録時に、パルス後端部以降のクーリングパルスの照射光量が一定時間０．１ｍＷ以下であり、かつ記録線速度が所定の値（好ましくは４２ｍ／ｓ以上８４ｍ／ｓ以下）であるように制御する処理を実行させることを特徴とする。
【００５６】
請求項２３記載の発明によれば、記録時にパルス光の後端部以降のクーリングパルスの照射光量を、一定時間０．１ｍＷ以下とし、かつ記録線速度を所定の値（４２ｍ／ｓ以上８４ｍ／ｓ以下）とすることにより、パルス光から色素系追記型ＤＶＤ媒体の記録層へのエネルギーが最適化されるので、高線速記録を行う際に、良好な記録波形を得ることができる。
【００５７】
請求項２４記載の発明は、請求項２０から２３の何れかに記載の発明において、前記コンピュータは、パルス光の後端部以降にクーリングパルスを照射する時間を、最短長スペースの１／６〜６／６の長さとすることを特徴とする。
【００５８】
請求項２４記載の発明によれば、パルス後端部以降にクーリングパルスを照射する時間を、最短長スペースの１／６〜６／６の長さとすることにより、記録品質を一層向上させることが可能なため、より好ましいクーリングパルス範囲となり、高線速記録を行う際に、良好な記録波形を得ることができる。
【００５９】
請求項２５記載の発明は、請求項２０から２４の何れかに記載の発明において、前記コンピュータは、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定することを特徴とする。
【００６０】
請求項２５記載の発明によれば、直前のスペース長が最短長であるマークを形成する記録パルスの加熱パルス幅を、そのマークの長さが最短長であるか否かで区別し、最短長マークの加熱パルス幅を最短長でないマークの加熱パルス幅よりも長く設定し、かつ、最短長マークを形成する記録パルスの加熱パルス幅を、最短長マークの直前のスペース長が最短長であるか否かで区別し、直前のスペース長が最短であるマークの加熱パルス幅を、直前のスペース長が最短でないマークの加熱パルス幅よりも短く設定することにより、区尾品質な記録、すなわち低ジッタ化が実現できる。この結果、高線速記録を行う際に、良好な記録波形を得ることができる。
【００６１】
請求項２６記載の発明は、実質的なコンピュータが記録手段に、色素系追記型ＤＶＤ媒体の記録層にパルス光でマークを記録させる処理と、再生手段に該記録を再生光で再生させる処理とを実行させる記録再生プログラムを記録した記録媒体であって、前記コンピュータに、前記記録時にパルス後端部以降のクーリングパルスの照射光量を一定時間所定の値以下とし、かつ記録線速度を所定の値以上とする処理を実行させる記録再生プログラムを記録したことを特徴とする。
【００６２】
請求項２６記載の発明によれば、記録時にパルス光の後端部以降のクーリングパルスの照射光量を一定時間所定の値以下とし、かつ記録線速度を所定の値以上とすることにより、パルス光から記録層へのエネルギーが最適化されるので、高線速記録を行う際に、良好な記録波形を得ることができる。
【００６３】
請求項２７記載の発明は、実質的なコンピュータが記録手段に、色素系追記型ＤＶＤ媒体の記録層にパルス光で最短長マークを記録し、パルス先端部のパワーが前記パルス光の後端部のパワーと等しく、パルス後端部のパワーが前記パルス光の先端部のパワーより低いパルス光で２番目以降の長さのマークを記録させる処理と、再生手段に該記録を再生光で再生させる処理とを実行させる記録再生プログラムを記録した記録媒体であって、前記コンピュータに、前記記録時にパルス後端部以降のクーリングパルスの照射光量を一定時間所定の値以下とし、かつ記録線速度を所定の値以上とする処理を実行させる記録再生プログラムを記録したことを特徴とする。
【００６４】
請求項２７記載の発明によれば、記録時にパルス光の後端部以降のクーリングパルスの照射光量を一定時間所定の値以下とし、かつ記録線速度を所定の値以上とすることにより、パルス光から色素系追記型ＤＶＤ媒体の記録層へのエネルギーが最適化されるので、高線速記録を行う際に、良好な記録波形を得ることができる。
【００６５】
請求項２８記載の発明は、実質的なコンピュータが記録手段及び再生手段に、ウォブルを設けた案内溝を有する基板上に少なくとも色素含有記録層を有する色素系追記型ＤＶＤ媒体に記録再生を実行させる記録再生プログラムを記録した記録媒体であって、前記コンピュータが、記録手段に最短長マークの先端が、最も高出力化された１つのパルス光で記録し、２番目以降の長さのマークを、パルス先端部と後端部の２カ所が一定時間高出力化され、該先端部パワーは最短長マークパルスの後端部パワーと等しく、該後端部パワーは該先端部パワーより低いパルス光でマークを記録させる処理と、再生手段に前記記録を再生光で再生する処理とを実行させる際に、前記記録手段によるマーク記録時に、パルス後端部以降のクーリングパルスの照射光量が一定時間０．１ｍＷ以下であり、かつ記録線速度が所定の値（好ましくは４２ｍ／ｓ以上８４ｍ／ｓ以下）であるように制御する処理を実行させる記録再生プログラムを記録したことを特徴とする。
【００６６】
請求項２８記載の発明によれば、記録時にパルス光の後端部以降のクーリングパルスの照射光量を、一定時間０．１ｍＷ以下とし、かつ記録線速度を所定の値（４２ｍ／ｓ以上８４ｍ／ｓ以下）とすることにより、パルス光から色素系追記型ＤＶＤ媒体の記録層へのエネルギーが最適化されるので、高線速記録を行う際に、良好な記録波形を得ることができる。
【００６７】
請求項２９記載の発明は、請求項２５から２８の何れかに記載の発明において、前記コンピュータは、パルス光の後端部以降にクーリングパルスを照射する時間を、最短長スペースの１／６〜６／６の長さとすることを特徴とする。
【００６８】
請求項２９記載の発明によれば、パルス後端部以降にクーリングパルスを照射する時間を、最短長スペースの１／６〜６／６の長さとすることにより、記録品質を一層向上させることが可能なため、より好ましいクーリングパルス範囲となり、高線速記録を行う際に、良好な記録波形を得ることができる。
【００６９】
請求項３０記載の発明は、請求項２５から２９の何れかに記載の発明において、前記コンピュータは、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定し、かつ、最短長マークを形成する記録パルスの加熱パルス幅を、該最短長マークの直前のスペース長が最短長であるか否かで区別し、直前のスペース長が最短長であるマークの加熱パルス幅を、直前のスペース長が最短長でないマークの加熱パルス幅よりも短く設定することを特徴とする。
【００７０】
請求項３０記載の発明によれば、直前のスペース長が最短長であるマークを形成する記録パルスの加熱パルス幅を、そのマークの長さが最短長であるか否かで区別し、最短長マークの加熱パルス幅を最短長でないマークの加熱パルス幅よりも長く設定し、かつ、最短長マークを形成する記録パルスの加熱パルス幅を、最短長マークの直前のスペース長が最短長であるか否かで区別し、直前のスペース長が最短であるマークの加熱パルス幅を、直前のスペース長が最短でないマークの加熱パルス幅よりも短く設定することにより、区尾品質な記録、すなわち低ジッタ化が実現できる。この結果、高線速記録を行う際に、良好な記録波形を得ることができる。
【発明の効果】
【００７１】
本発明によれば、色素系追記型ＤＶＤ媒体に対し、何れの線速度でも低ジッタ、低エラー率な記録が可能であり、ＤＶＤ−Ｒで用いているランドプリピットフォーマットよりも簡単に製造可能な高周波ウォブルフォーマットでデータ部の書き足しを効率良く実施できる。しかも、現在、大量に製造されているＣＤ−Ｒ、ＣＤ−ＲＷ（ReWritable：書き換え型）とほぼ同一フォーマットの色素系追記型ＤＶＤ媒体に対して記録が可能である。
【発明を実施するための最良の形態】
【００７２】
本発明に係る一実施形態について述べる。
本発明に係る第１の実施形態は、基本的な最適パルス照射パターンである。
最短長マークのパルス先端部が高出力化されており、短い方から２番目以降の長さのマークについて、パルスの先端部と後端部を上乗せパワーを加えて高出力化するものである。最短長マークのパルス先端が高出力化するパルスの長さとしては、基本クロック周期Ｔの０．３倍〜１．５倍、すなわち、０．３Ｔ〜１．５Ｔの範囲が特に好ましく、０．２Ｔ〜２．０Ｔの範囲でも実施可能である。
また短い方から２番目以降マークの先端、後端部を高出力化する長さとしては、０．５Ｔ〜２Ｔの範囲が特に好ましく、０．２Ｔ〜２．５Ｔの範囲でも実施可能である。更に、最短長マークのパルス先端とそれ以外のマークのパルス先端と後端部が高出力化されており、その最短長マークのパルス後端部光量と、短い方から２番目以降のマークのパルス先端部光量が等しい。
【００７３】
最短長マークのパルス先端の先端高出力部パワーをＷ０、最短長マークのパルス後端部のパワーと短い方から２番目以降マークのパルス先端部のパワーをＷ１、短い方から２番目以降マークのパルス後端部のパワーをＷ２として、短い方から２番目以降マークのパルス上乗せ無しパワーをＷ３とすると、各パワーの比率としてはＷ０／Ｗ１＝１．０１〜２．００の範囲で採用可能であるが、好ましくは１．０２〜１．５０の範囲である。
【００７４】
一方、Ｗ２／Ｗ３は１．０５〜３．００の範囲で採用可能であるが、好ましくは１．０８〜２．００の範囲である。さらに、Ｗ１／Ｗ２は１．０１〜２．００の範囲で採用可能であるが、好ましくは１．０２〜１．５０の範囲である。
【００７５】
本発明に係る第２の実施形態は、各パルスの後端部以降に設けるクーリングパルスの好ましい照射条件を規定したものであり、クーリングパルスを照射する時間は、最短スペース長の１／６〜６／６の長さとすることが好ましく、この範囲を外れると本発明の効果を得難くなる。
上記のようなパルス波形を選択することにより、特に高線速記録において低ジッタで良好な記録が可能となる。
色素系の光記録媒体は、高線速化を実現しようとすると記録パワーを大きくしなければならず、その結果マーク間の熱干渉が一層起こり易くなる。
【００７６】
そこで、マークを形成する際のマークエッジ切れを良好にするために本発明が有効となる。従来技術で記録を行うと、最も低いジッタが得られるパワーとエラーが最小となるパワーにズレが生じてパワーマージンが減少する。具体的には記録先速度が４２ｍ／ｓ以上８４ｍ／ｓの高線速記録においては最も低いジッタが得られる記録パワーでは記録信号のアシンメトリがマイナス側になる傾向が現れ、エラー測定では如何に低ジッタといえどもエラーが出易くなってしまう。例えば、アシンメトリがマイナスで低ジッタ、低エラーであっても、媒体、ドライブの経年変化等で、アシンメトリがゼロ付近で記録された媒体よりはエラーが発生し易い。
ここで、アシンメトリとは、ＲＦ信号（ピックアップの出力）において、信号の対称性がくずれ、データの判定すべきレベルが中心からずれたときのずれ量を全体の振幅の比で表したものである。このずれはディスクやピックアップの性能により発生する。通常、装置の判定レベルは回路構成上、信号の中心レベルで行われるので、アシンメトリが多いとエラーレート（ジッタ）が増加する。
【００７７】
本発明に係る第２の実施形態は、この低アシンメトリ問題を解決すべくなされたものである。
また、１マークを複数パルス光（マルチパルス）で書き込む場合においても、パルス光を最適化すれば、上述の低アシンメトリ問題を解決することは可能であるが、複数のパルス光を用いるため、パルス光の立ち上がり、立ち下がり時間にばらつきを生じた際に記録品質自体がばらつく可能性がある。このばらつきは高線速記録になるほど発生し易くなることは言うまでもない。
【００７８】
これに対し、本発明に係る実施形態２は、１マーク当り１パルス光で記録するため、マルチパルス光記録に比べて記録品質のばらつきが少ない記録方法を提供できる利点がある。また、書き込み中のアドレス検出においては、マルチパルス法よりも単純な記録波形であるため記録時の光量を平均化し易く、スペース部の反射光量だけでなくマーク部の光量も平均化してアドレス検出することが可能となり、パルスの後端に０．１ｍＷ以下のクーリングパルスを設けてもアドレス検出を比較的容易に実施できる利点を有する。
本発明に係る実施形態２においては、記録先速度が４２ｍ／ｓ以上の高線速記録における記録品質の向上が大きな課題であるが、高速での記録は最短長マークをいかに均一に形成するかが記録品質に大きく寄与する。
【００７９】
そこで本発明に係る実施形態３は、最短長マークを形成するパルスの特に先端部を高出力化することによりマーク形成を均一、かつ確実に形成するように最短長マーク形成品質の向上を計ったものである。また、短い方から２番目以降のマークのパルス先端部も高出力化し、さらに後端部を先端部より低いレベルで高出力化することで記録品質の向上を計っている。短い方から２番目以降のマークのパルス後端部の高出力化をするとアシンメトリ改善効果に寄与する。言い換えると、短い方から２番目以降のマークを形成する場合はパルス先端部のみをかさ上げすると、ジッタは改善できるが、本発明の目的である低アシンメトリ問題改善には少なくとも後端部をかさ上げする事が有効である。
【００８０】
本発明に係る第１、第２、第３の実施形態に該当する記録レーザ光の波形の一例を図４、図５に示す。
図４において、上段はスペースとマークとの関係を示し、中段は直前のスペース長ｐｓが３Ｔに等しい場合の記録レーザ光の波形を示し、下段はｐｓが３Ｔより大きい場合の記録レーザ光の波形を示し、各段の横軸は時間を示す。
例えば、ｐｓが３Ｔで、記録マーク長ｃｍが３Ｔの記録レーザ光は、パルスパワーＷ０で０．８０Ｔ、パルスパワーＷ１で１．１５Ｔ照射した後、所定期間クーリングエリア（冷却期間）を設け、ｐｓが３Ｔより長く、ｃｍが４Ｔより長い記録レーザ光は、パルスパワーＷ０で１．２０Ｔ、パルスパワーＷ３で（ｎ−４）×１．００Ｔ＋１．０５Ｔ、パルスパワーＷ２で０．７０Ｔ照射した後、所定期間クーリングエリアを設けることを示す。
図５において、上段はスペースとマークとの関係を示し、中段はｐｓが３Ｔに等しい場合の記録レーザ光の波形を示し、下段はｐｓが３Ｔより大きい場合の記録レーザ光の波形を示し、各段の横軸は時間を示す。
【００８１】
また、熱干渉の影響を考慮して、直前のスペース長が最短長であるマークを形成する記録パルスの加熱パルス幅を、マークの長さが最短長であるか否かで区別し、最短長マークの加熱パルス幅を最短長でないマークの加熱パルス幅よりも長く設定することで、より低ジッタな記録が実現できる。更に、最短長マークを形成する記録パルスの加熱パルス幅を、最短長マークの直前のスペース長が最短長であるか否かで区別し、直前のスペース長が最短であるマークの加熱パルス幅を、直前のスペース長が最短でないマークの加熱パルス幅よりも短く設定することで、一層低ジッタな記録が実現できる。
【００８２】
上記加熱パルス幅を短く設定するための補正量（長さ）は、０．０２Ｔ〜０．１０Ｔの範囲が特に好ましい。形成されるマークの直前のスペース長が最短長である場合に、そのマークを形成するパルスのパルス幅が他のマークの場合と略等しいと、熱干渉により直前のスペース長が短くなり、ジッタが若干悪化する。
【００８３】
そこで、このような場合のみ、マークを記録するための加熱パルス幅を短くすると効果がある。パルス幅を短くする場合は加熱パルスの前エッジを短くすることが効果的なのは言うまでもない。また、形成されるマークの直前のスペース長が最短長であるとき、そのマークを形成するパルスの加熱パルス幅が０．１０Ｔよりも短いと、マーク長自身が短くなり過ぎるので好ましくない。最短長マークの加熱パルス幅を他のマークの場合よりも長く設定する際の補正量（長さ）は、０．０５Ｔ〜０．２５Ｔが好ましい。
特に記録線速度が大きくなると最短長マークが形成し難くなるため、上記の範囲で補正して最短長マークのパルス幅を長くする。
【００８４】
次に、記録層に必要な項目として光学特性が挙げられる。
光学特性としては、記録再生波長近傍の長波長近傍の波長域の光、即ち記録光及び再生光の波長±５ｎｍの波長域の光に対する記録層単層の屈折率ｎが１．５≦ｎ≦３．０であり、消衰係数ｋが０．０２≦ｋ≦０．２の範囲にあることが好ましい。
ｎが１．５未満の場合には、十分な光学的変化を得難く記録変調度が低くなるため好ましくなく、ｎが３．０を越えると、波長依存性が高くなり過ぎ、記録再生波長領域であってもエラーとなってしまうため好ましくない。
また、ｋが０．０２未満の場合には、記録感度が悪くなるため好ましくなく、ｋが０．２を越えると、５０％以上の反射率を得ることが困難となるので好ましくない。なお、ＤＶＤは、再生専用機では６５０ｎｍ付近で規格化されているが、記録型媒体の記録光の波長はオーサリング専用媒体の６３５ｎｍの他に、一般用途として６５０〜６６０ｎｍで規格化されている。
【００８５】
しかしながら、これらの波長はあくまで中心波長であり、ＬＤ（Laser Diode：レーザダイオード）の製造のバラツキで短波長側、長波長側に振れる。またＬＤは、その特性上、一般的に温度が上昇すると波長が長波長側にシフトする。本発明に係る実施形態は上記波長域を含む６００ｎｍ〜７２０ｎｍの記録波長で実施可能な方法である。
【００８６】
次に、基板に設ける蛇行した案内溝のウォブル特性について述べるが、ウォブル周波数を特定するためのＴは基本クロック周期であり、ＤＶＤ（４．７ＧＢ）媒体であれば、約０．１３３μｍ、時間にして約３８ｎｓｅｃである。
【００８７】
通常、ウォブルの周波数帯としては１５０Ｔ〜４００Ｔ相当が用いられているが、この周波数帯は、周波数変調にしろ位相変調にしろデータの書き足しをする場合にウォブルの周波数が低すぎて、前データと書き足しデータとの間がかなり空いてしまい高密度記録には向かない。これに対しＤＶＤ−ＲではＬＰＰを設け、このＬＰＰ信号によりデータの書き込む位置を制御している。
【００８８】
しかしながら、ＬＰＰ方式ではＬＰＰの信号振幅が小さ過ぎるとＬＰＰが良好に読み出せず、逆にＬＰＰが大き過ぎると今度はＬＰＰ信号自体が書き込みデータへ漏れ込んでデータエラーが多発するという不具合が生じるため、ＬＰＰには、０．１６≦ＬＰＰｂ≦０．３２、好ましくは０．１８≦ＬＰＰｂ≦０．２６という制約が生じ、スタンパ作成の際、ランドのカット幅を微細に制御しなくてはならない。
これに対し、高周波ウォブルにすればＬＰＰは必要なくなり、ウォブルを変調して同期をとるため、ＬＰＰ方式の様にデータエラーが多発するような事態には至らない。
【００８９】
本発明に係る実施形態４で規定するように、高周波ウォブルの好ましい周波数は４Ｔ〜９６Ｔである。
周波数は４Ｔより小さいと高すぎて検出し難くなり、回転制御やアドレス検知信頼性の点でも問題がある。
【００９０】
一方、周波数が９６Ｔより大きいと低すぎて、データを追記書きする際の継ぎ目に間隔が開きすぎ、容量の低下やデータ処理速度低下等の問題を生じる。
本発明に係る実施形態が対象とするＤＶＤ媒体のウォブルの振幅は、適当なフィルター、例えば４ＭＨｚのハイパスフィルターや３０ｋＨｚのロウパスフィルターを通した信号のウォブル振幅（Ｗｏ）と、適当なフィルター、例えば３０ｋＨｚのフィルターを通したプシュプル信号（ＰＰ）の比Ｗｏ／ＰＰが、０．１≦Ｗｏ／ＰＰ≦０．４を満足するようなものであれば、本発明の目的であるウォブルでの同期合わせは容易であり、更に好ましくは０．１５≦Ｗｏ／ＰＰ≦０．３０の範囲である。
Ｗｏ／ＰＰの値が０．１未満では同期をとるのに不十分な信号強度であり、０．４を越えるとデータ部エラーが増えてくる傾向にある。
但し、ＬＰＰ方式に比べ、ＬＰＰが大きな媒体のデータエラー発生への影響度は小さくウォブル振幅の増加に伴うデータエラーは緩やかである。
【００９１】
更にスタンパを作成する際、ＬＰＰ方式のＬＰＰカット幅を前述した０．１６〜０．３２の範囲内にするには高度なカット幅制御技術を必要とするが、本発明に係る実施形態の高周波ウォブル方式においては高周波発生源とウォブルの振り量の大きさ（ウォブル振り量を制御する回路で振り量は任意に再現性よく作成できる）を管理しさえすれば目的が達成されるため、スタンパの歩留まりや、媒体の歩留まりを飛躍的に向上させることができる。
【００９２】
また、上記のフォーマットを有する基板の溝形状としては、有機色素を用いて溶剤塗工法により記録層を形成する場合を例にとると、好ましい溝深さは１０００Å〜２５００Åであり、更に好ましくは１５００Å〜２０００Åである。溝深さが１０００Å未満ではプシュプル信号が充分にとれずトラッキング制御ができない。また、２５００Åを越えると基板成形の際に転写性が甘くなるため好ましくない。更に、色素記録層を設けた場合の色素溝深さはウォブル周波数をｍＴ（ｍは自然数）とし、色素溝深さをｄ１とした時に１２００≦ｄ１×ｍ≦１６００００の範囲にあることが好ましい。
ｄ１×ｍが１２００を下回ると充分な差信号が得られず、記録再生時に充分なトッラキングが行えないし、ｄ１×ｍが１６００００を上回ると逆に発振してしまうためやはりトラッキングには好ましくなく、更に前述した基板成形の転写限界に起因する基板溝深さの限界もあって、実質的には１６００００を上回ることは出来ない。
【００９３】
また、記録密度４ＧＢ〜５ＧＢの容量を確保するためにトラックピッチは０．６４μｍ〜０．８μｍ程度が必要である。溝幅に関しては、記録材料によって異なるが、ほぼ全ての有機材料において、半値幅０．１８μｍ〜０．４０μｍの幅で適用できる。
【００９４】
次に、本発明の対象となる色素系追記型ＤＶＤ媒体の層構成、各層の必要特性及び構成材料の実施形態について説明する。
〔基板〕
基板は、基板側から記録再生を行なう場合には使用レーザに対して透明でなければならないが、記録層側から記録再生を行なう場合には透明である必要はない。
基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミック、金属などを用いることができる。
なお、基板の表面にはトラッキング用の案内溝や案内ピット、更にアドレス信号などのプリフォーマットが形成されていても良い。
【００９５】
〔記録層〕
記録層はレーザ光の照射により何らかの光学的変化を生じさせ、その変化により情報を記録するものであり、その材料としては有機色素を主成分とするものを用いる。
ここで、主成分とは、記録再生に必要十分な量の有機色素を含有することを意味するが、通常は、必要に応じて適宜添加する少量の添加剤を除き、有機色素のみを用いる。
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系色素、或いはそれらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
上記色素は熱分解特性として、分解開始温度１００℃〜３６０℃のものが好ましく、特に１００℃〜３５０℃のものが好ましい。分解開始温度が３６０℃を越えると記録時のピット形成がうまく行われずジッタ特性が悪くなる。また、１００℃未満であるとディスクの保存安定性が悪化する。
【００９６】
上記色素には光学特性、記録感度、信号特性などの向上の目的で他の有機色素、金属、金属化合物を混合してもよく、或いは色素層と他の有機色素、金属、金属化合物からなる層を積層しても良い。このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
【００９７】
更に、上記染料中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００９８】
記録層の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。
【００９９】
用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
記録層の膜厚は１００Å〜１０μｍ、好ましくは２００Å〜２０００Åが適当である。
【０１００】
〔下引き層〕
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。
（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。
【０１０１】
（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。
【０１０２】
（３）の目的に対しては、Ａｌ、Ａｕ、Ａｇ等の金属や、メチン染料、キサンテン系染料などからなる金属光沢を有する有機薄膜を用いることができる。（５）及び（６）の目的に対しては、紫外線硬化樹脂、熱硬化樹脂、熱可塑性樹脂などを用いることができる。下引き層の膜厚としては、０．０１μｍ〜３０μｍ、好ましくは、０．０５μｍ〜１０μｍが適当である。
【０１０３】
〔反射層〕
反射層の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが特に好ましい。また、これらの金属や半金属は単独で使用しても２種以上の合金として使用しても良い。膜形成法としては蒸着、スッパタリングなどが挙げられ、膜厚としては、５０Å〜５０００Å、好ましくは、１００Å〜３０００Åである。
【０１０４】
〔保護層、基板面ハードコート層〕
層及び基板面ハードコート層は、
（１）記録層（反射吸収層）の傷、ホコリ、汚れ等からの保護、
（２）記録層（反射吸収層）の保存安定性の向上、
（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。保護層又は基板面ハードコート層の膜厚は、０．０１μｍ〜３０μｍ、好ましくは０．０５μｍ〜１０μｍである。上記下引き層、保護層及び基板面ハードコート層には、記録層の場合と同様に安定剤、分散剤、難燃剤、滑剤、帯電防止剤、界面活性剤、可塑剤等を含有させることができる。
【０１０５】
〔保護基板〕
保護基板は、保護基板側からレーザ光を照射する場合には、使用レーザ光に対して透明でなければならないが、単なる保護板として用いる場合には透明でなくてもよい。使用可能な保護基板材料は前記基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、ガラス、セラミック、又は金属などを用いることができる。
【０１０６】
〔接着層〕
接着層の材料としては、２枚の記録媒体を接着できる材料なら何でもよく、生産性を考慮すると、紫外線硬化型接着剤又はホットメルト型接着剤が好ましい。
【０１０７】
図１（ａ）は本発明に係る記録再生装置に用いられる片面単層型の色素系追記型ＤＶＤ媒体の構成図であり、図１（ｂ）は本発明に係る記録再生装置に用いられる片面単層型の色素系追記型ＤＶＤ媒体の他の構成図であり、図１（ｃ）は本発明に係る記録再生装置に用いられる片面単層型の色素系追記型ＤＶＤ媒体のさらに他の構成図である。
【０１０８】
図１（ａ）に示す色素系追記型ＤＶＤ媒体は、基板１の一方（図では上側）の面上に、色素含有記録層２、反射層６及び保護層４を順次積層したものである。
図１（ｂ）に示す色素系追記型ＤＶＤ媒体は、基板１の一方（図では上側）の面上に、色素含有記録層２、反射層６、保護層４、接着層８及び保護基板７を順次積層したものである。
図１（ｃ）に示す色素系追記型ＤＶＤ媒体は、基板１の一方（図では上側）の面上に、下引き層３、色素含有記録層２、反射層６、保護層４、接着層８及び保護基板７を順次積層し、基板１の他方（この場合下側）の面上に基板面ハードコート層５を積層したものである。
【０１０９】
図２は本発明に係る記録再生装置に用いられる両面型の色素系追記型ＤＶＤ媒体の構成図である。
図２に示す色素系追記型ＤＶＤ媒体は、第１基板２１の一方（図では上側）の面上に、第１色素含有記録層２２、第１反射層２６、第１保護層２４、接着層４０、第２保護層３４、第２反射層３６、第２色素含有記録層３２及び第２基板３１を順次積層したものである。
【０１１０】
図３は本発明に係る記録再生装置に用いられる片面２層型の色素系追記型ＤＶＤ媒体の構成図である。
図３に示す色素系追記型ＤＶＤ媒体は、第１基板１０１の一方（図では上側）の面上に、第１色素含有記録層１０２、第１反射層１０３、第１保護層１０４、中間層３００、第２保護層２０４、第２色素含有記録層２０３、第２反射層２０２及び第２基板２０１を順次積層したものである。
第１色素含有記録層１０２、第１反射層１０３及び第１保護層１０４で第１情報層１００が構成され、第２保護層２０４、第２色素含有記録層２０３及び第２反射層２０２で第２情報層２００が構成されている。
光の入射方向は矢印で示すように第１基板１０１の他方（この場合下側）の面からの方向となる。
【０１１１】
〔記録再生〕
大容量の情報を記録する装置として、光ディスクが使用されているが、光ディスクは通常、光ディスクドライブ（記録再生装置）によって記録再生される。
ここで、光ディスクとドライブ構成について、概略を説明する。ＤＶＤ−ＲＡＭ・ＷＯ（Write Once）、ＤＶＤ−Ｒ、ＤＶＤ＋ＲとＤＶＤ−ＲＡＭ（Random Access Memory）、ＤＶＤ−ＲＷ、ＤＶＤ＋ＲＷディスクは、書き込みが可能な（記録可能な）ＤＶＤ（Digital Versatile Disc）である。前者のＤＶＤ−ＲＡＭ・ＷＯ、ＤＶＤ−Ｒ、ＤＶＤ＋Ｒは、１回だけ書き込みが可能なＤＶＤである（なお、ＤＶＤ  Ｗｒｉｔｅ  Ｏｎｃｅともいわれている）。また、後者のＤＶＤ−ＲＡＭ、ＤＶＤ−ＲＷ、ＤＶＤ＋ＲＷは、複数回の書き込みが可能なＤＶＤである。これらのＤＶＤ＋ＲやＤＶＤ＋ＲＷディスク等、すなわち、光ディスクは、次の図６のようなドライブによって情報の記録再生が行われる。
【０１１２】
図６は、光ディスクドライブについて、その要部構成の一例を示す機能ブロック図である。
同図において、１１は光ディスク、１２は光ディスク１１を回転させるスピンドルモータ、１３は光ディスク１１にレーザ光ＬＢを照射もしくは反射光を受光すると共に、光ディスク１１の径方向に移動させる光ピックアップ、１４はスピンドルモータ１２及び光ピックアップ１３の移動用のシークモータ（図示せず）を駆動するモータドライバ、１５は光ピックアップ１３からの光信号を増幅するリードアンプ、１６は光ピックアップ１３の図示しないヘッドの位置を制御するサーボ手段、１７はＤＶＤからの信号をデコードするＤＶＤデコーダ、１８はＡＤＩＰデコーダ、１９は光ピックアップ１３のヘッドに用いられる半導体レーザを制御するレーザコントローラ、２０はＤＶＤへの信号をエンコードするＤＶＤエンコーダ、２１はＤＶＤ−Ｒへの信号をエンコードするＤＶＤ−ＲＯＭエンコーダ、２２はバッファＲＡＭ、２３はバッファＲＡＭ２２を制御するバッファマネージャ、２４はＤＶＤ−ＲＯＭからの信号をデコードするＤＶＤ−ＲＯＭデコーダ、２５はＡＴＡＰＩ／ＳＣＳＩインターフェース、２６はディジタル形式の信号をアナログ形式の信号に変換するＤ／Ａコンバータ、２７はＲＯＭ、２８は記録再生装置を統括制御するＣＰＵ、２９はＲＡＭを示し、Ａｕｄｉｏはオーディオ出力信号を示す。
【０１１３】
この図６において、矢印はデータが主に流れる方向を示しており、また、図を簡略化するために、図６の各ブロックを制御するＣＰＵ２８には、太線のみを付けて各ブロックとの接続を省略している。ＲＯＭ２７には、ＣＰＵ２８にて解読可能なコードで記述された制御プログラムが格納されている。なお、光ディスクドライブの電源がオン状態になると、前記プログラムは不図示のメインメモリにロードされ、前記ＣＰＵ２８はそのプログラムに従って上記各部の動作を制御するとともに、制御に必要なデータ等を一時的にＲＡＭ２９に保存する。
【０１１４】
光ディスクドライブの構成と動作は、次のとおりである。
光ディスク１１は、スピンドルモータ１２によって回転駆動される。このスピンドルモータ１２は、モータドライバ１４とサーボ手段１６とにより、線速度または角速度が一定になるように制御される。この線速度又は角速度は、階段的に変更することが可能である。
【０１１５】
光ピックアップ１３は、図示されない半導体レーザ、光学系、フォーカスアクチュエータ、トラックアクチュエータ、受光素子およびポジションセンサを内蔵しており、レーザ光ＬＢを光ディスク１に照射する。また、この光ピックアップ１３は、シークモータによってスレッジ方向への移動が可能である。
これらのフォーカスアクチュエータ、トラックアクチュエータ、シークモータは、受光素子とポジションセンサから得られる信号に基いて、モータドライバ１４とサーボ手段１６により、レーザ光ＬＢのスポットが光ディスク１１上の目的の場所に位置するように制御される。
【０１１６】
リード時には、光ピックアップ１３によって得られた再生信号が、リードアンプ１５で増幅されて２値化された後、ＤＶＤデコーダ７に入力される。入力された２値化データは、このＤＶＤデコーダ７において、８／１６復調される。
なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【０１１７】
復調されたデータは、デインターリーブとエラー訂正との処理が行われる。その後、このデータは、ＤＶＤ−ＲＯＭデコーダ２４へ入力され、データの信頼性を高めるために、さらに、エラー訂正の処理が行われる。
このように２回のエラー訂正の処理が行われたデータは、バッファマネージャ２３によって一旦バッファＲＡＭ２２に蓄えられ、セクタデータとして揃った状態で、ＡＴＡＰＩ／ＳＣＳＩインターフェース２５を介して、図示しないホストコンピュータへ一括して転送される。
【０１１８】
なお、音楽データの場合には、ＤＶＤデコーダ７から出力されたデータが、Ｄ／Ａコンバータ２６へ入力され、アナログのオーディオ出力信号Ａｕｄｉｏとして取り出される。また、ライト時には、ＡＴＡＰＩ／ＳＣＳＩインターフェース２５を通して、ホストコンピュータから送られてきたデータは、バッファマネージャ２３によって一旦バッファＲＡＭ２２に蓄えられる。
【０１１９】
その後ライト動作が開始されるが、この場合には、その前にレーザスポットを書き込み開始地点に位置させる必要がある。この地点は、ＤＶＤ＋ＲＷ／＋Ｒでは、予め光ディスク１上にトラックの蛇行により刻まれているウォブル信号によって求められる。
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【０１２０】
ＤＶＤ＋ＲＷ／＋Ｒディスクにおけるウォブル信号には、ＡＤＩＰ（ADress In Pre-groove）と呼ばれるアドレス情報が含まれており、この情報が、ＡＤＩＰデコーダ１８によって取り出される。また、このＡＤＩＰデコーダ１８によって生成される同期信号は、ＤＶＤエンコーダ２０へ入力され、光ディスク１１上の正確な位置へのデータの書き込みを可能にしている。バッファＲＡＭ２２のデータは、ＤＶＤ−ＲＯＭエンコーダ２１やＤＶＤエンコーダ２０において、エラー訂正コードの付加や、インターリーブが行われ、レーザコントローラ１９、光ピックアップ１３を介して、本発明の記録波形にて光ディスク１１に記録される。
【０１２１】
すなわち、ウォブルを有した追記型ＤＶＤ媒体に対し、最短長マークを、の先端部パルスが最も高出力化された１つのパルス光で記録し、２番目以降の長さのマークを、パルス先端部と後端部の２カ所が一定時間高出力化され、先端部パワーは最短マークの後端部パルスパワーと等しく、後端部パワーは先端部パワよりさらに低いパルス光でマークを記録し、記録を再生光で再生するに当たり、記録マーク記録時において、パルス後端部以降のクーリングパルスの照射光量を、一定時間０．１ｍＷ以下にすることで高線速における、高品質記録が実現可能である。
【０１２２】
また、パルス後端部以降のクーリングパルスを照射する時間を、再短長スペースの１／６〜６／６の長さとすることで記録品質を一層向上可能で、より好ましいクーリングパルス範囲と言える。
【０１２３】
さらに、本発明に係る実施形態の記録波形は直前のスペース長が最短長であるマークを形成する記録パルスの加熱パルス幅を、マークの長さが最短長であるか否かで区別し、最短長マークの加熱パルス幅を最短長でないマークの加熱パルス幅よりも長く設定し、かつ、最短長マークを形成する記録パルスの加熱パルス幅を、最短長マークの直前のスペース長が最短長であるか否かで区別し、直前のスペース長が最短であるマークの加熱パルス幅を、直前のスペース長が最短でないマークの加熱パルス幅よりも短く設定することでも、高品質な記録すなわち、低ジッタ化が実現できる。
また、アドレス情報を得る方式はランドプリピットやプリピットからアドレス情報を得る構成であっても良い。
【０１２４】
図７は図６に示す光ディスクドライブを使用した情報処理装置の概略図である。
情報処理装置は、制御装置１２、インターフェース１４、記録装置１６、入力装置１１及び表示装置１３などを備えている。制御装置１２は、ＣＰＵ（中央処理装置、マイクロコンピュータ）、メインメモリ（何れも図示せず）などを含んで構成され、ホストコンピューターの全体を制御する。
インターフェース１４は、光ディスクドライブ１５（図５参照）との双方向の通信インターフェースであり、ＡＴＡＰＩ及びＳＣＳＩ等の標準インターフェースに準拠している。インターフェース１４は前述した光ディスクドライブ１５のインターフェース２５と接続されている。
なお、各インターフェース間の接続形態は、通信ケーブル（例えばＳＣＳＩケーブル）などの通信線を用いたケーブル接続だけでなく、赤外線などを利用したワイヤレス接続であっても良い。記録装置１６（ＨＤＤ、ハードディスク）には、制御装置１２のマイクロコンピュータで解読可能なコードで記述されたプログラムが格納されている。
【０１２５】
また、情報処理装置の駆動電源がオン状態になると、上記プログラムは制御装置１２のメインメモリにロードされる。表示装置１３は、例えばＣＲＴ、液晶ディスプレイ（ＬＣＤ）、プラズマディスプレイパネル（ＰＤＰ）などの表示部（図示省略）を備え、制御装置１２からの各種情報を表示する。入力装置１１は、例えばキーボード、マウス、ポインティングデバイスなどのうち少なくとも１つの入力媒体（図示省略）を備え、ユーザから入力された各種情報を制御装置１２に通知する。
なお、入力媒体からの情報はワイヤレス方式で入力されても良い。また、表示装置と入力装置とが一体化したものとして、例えばタッチパネル付きＣＲＴなどがある。また、情報処理装置はオペレーティングシステム（ＯＳ）を搭載している。そして、情報処理装置を構成する全てのデバイスはＯＳによって管理されているものとする。
【０１２６】
尚、上述した各実施形態は、本発明の好適な実施例であり、本発明の趣旨を逸脱しない範囲内において、種々変形することが可能である。
【０１２７】
また、上述した実施形態としての方法や装置等を実現するための処理手順を有するプログラムやプログラムを記録媒体（記録装置１６が記録媒体読み取り装置である場合）に記録することにより、本発明の実施形態による各機能を、その記録媒体から記録装置１６を介して供給されるプログラムによって、制御装置１２を構成するＣＰＵに処理を行わせて実現させることが可能である。
すなわち、記録媒体から読み出されたプログラムコード自体が本発明の新規な機能を実現することになり、そのプログラムコードを記憶した記録媒体及びその記録媒体から読み出された信号は本発明を構成することになる。
この記録媒体としては、例えば、フレキシブルディスク、光ディスク、光磁気ディスク、フラッシュメモリ、ＣＤ−ＲＯＭ、ＣＤ−Ｒ、磁気テープ、不揮発性メモリカード、ＲＯＭ、ＥＥＰＲＯＭ等を用いてよい。
【実施例１】
【０１２８】
溝深さが１６５０Åで、半値幅が０．３９μｍで、トラックピッチが０．７４μｍで、ウォブル周波数３２Ｔ相当を有する厚さ０．６ｍｍ、外径１２０ｍｍの射出成形ポリカーボネート基板を準備する。
このポリカーボネート基板上に、化学式１で示す化合物と化学式２で示す化合物とを重量比で７０：３０に秤量し、２，２，３，３，−テトラフルオロ−１−プロパノールで溶解し、スピンナー塗布し、厚さ７００Åの有機色素層を形成する。
【化１】
2006344252.tif 000003
【化２】
2006344252.tif 000004
この有機色素層を形成したポリカーボネート基板を９０℃で３０分乾燥した後、次いでスパッタ法により銀１１００Åの反射層を設け、更にその反射層の上にアクリル系フォトポリマーにて５μｍの保護層を設ける。
保護層を設けた後、厚さ０．６ｍｍ、外径１２０ｍｍの射出成形ポリカーボネート平板基板をアクリル系フォトポリマーにて接着し記録媒体とした。
【０１２９】
＜記録再生条件＞
上記光記録媒体に対し、発振波長が６６０ｎｍで、ビーム径が０．９μｍの半導体レーザ光を用い、トラッキングしながらＥＦＭ信号（最小ピット長約０．４μｍ）を、表２に示す記録条件と記録線速とでＢｏｔｔｏｍ  Ｊｉｔｔｅｒ（ボトム・ジッタ）が極小となるような記録パワーで記録し、その個所を再生してジッタ値、アシンメトリ、ＰＩエラー数を求めた。
なお、記録レーザ光の波形は図４、５に示す通りである。
【０１３０】
また、Ｗ０は最短長マークの先端部パルスパワー、Ｗ１は最短長マークの後端部パワーおよび、短い方から２番目以降のマークの先端パルスパワー、Ｗ２は短い方から２番目以降のマークの後端パルスパワー、Ｗ３は短い方から２番目以降の長さのマークの上乗せ無しパワーである。
更に、線速４２ｍ／ｓのパルス長と線速５６ｍ／ｓのパルス長とは、図４、５に示すパルス長を用いたが、本発明はこれに限定されるものではない。
【０１３１】
なお、比較例１では、クーリングパルスが存在しない記録波形とした。比較例２では、クーリング部の光量を０．２ｍＷと本発明より大きくした。比較例３では、比較例１と同様にクーリングパルスなしで、記録線速を高線速にした。比較例４は最短マークのパルスパワーと２番目以降の長さのマークのパルスの先端と後端のパワーを同一にした。比較例５では２番目以降の長さのマークのパルスの先端のみを高出力した波形とした。比較例６は全てのマークのパルスを単純矩形波にした。
実施例８は、クーリングパルス長を０．４Ｔと本発明２の最短スペース長３Ｔの１／６、即ち０．５Ｔより短くした例である。
【０１３２】
表２から分るように、実施例１〜１１は、比較例１〜６に比べて、ジッタ、アシンメトリ共に概ね良好であり、ＰＩエラーは非常に優れている。
また、上記光記録媒体に対し、発振波長６６０ｎｍ、ビーム径０．９μｍの半導体レーザ光を用い、トラッキングしながらＥＦＭ信号（最小ピット長約０．４ミクロン）を下記表３に示す記録条件と記録線速で、かつ表１補正ありの条件下、ボトム・ジッタが極小となるような記録パワーで記録し、その個所を再生してジッタ値、アシンメトリ、ＰＩエラー数を求めた。なお、比較例７〜９では、ＤＶＤ−Ｒで実施されているＬＰＰフォーマットのＬＰＰｂの大きさを振った（変化させた）試作条件スタンパと成形基板を用いて、実施例と同様の作成条件で光記録媒体を作成し、実施例と同様の評価を行った。
【表１】
2006344252.tif 000005
【０１３３】
【表２】
2006344252.tif 000006
【０１３４】
【表３】
2006344252.tif 000007
【０１３５】
表３から分るように、ＬＰＰフォーマットのサンプルでは、比較例９のようにＬＰＰｂが大きくなると、ジッタが良好であってもＰＩエラーが増加してしまう。また、比較例７のようにＬＰＰｂが０．１６を下回るレベルであると実用されている装置でのアドレス検出が不可能となってしまうことが確認された。
【図面の簡単な説明】
【０１３６】
【図１】（ａ）は本発明に係る記録再生装置に用いられる片面単層型の色素系追記型ＤＶＤ媒体の構成図であり、（ｂ）は本発明に係る記録再生装置に用いられる片面単層型の色素系追記型ＤＶＤ媒体の他の構成図であり、（ｃ）は本発明に係る記録再生装置に用いられる片面単層型の色素系追記型ＤＶＤ媒体のさらに他の構成図である。
【図２】本発明に係る記録再生装置に用いられる両面型の色素系追記型ＤＶＤ媒体の構成図である。
【図３】本発明に係る記録再生装置に用いられる片面２層型の色素系追記型ＤＶＤ媒体の構成図である。
【図４】本発明に係る記録再生装置の記録レーザ光の波形の一例を示す図である。
【図５】本発明に係る記録再生装置の記録レーザ光の波形の一例を示す図である。
【図６】光ディスクドライブについて、その要部構成の一例を示す機能ブロック図である。
【図７】図６に示す光ディスクドライブを使用した情報処理装置の概略図である。
【符号の説明】
【０１３７】
１    基板
２    色素含有記録層
３    下引き層
４    保護層
５    基板面ハードコート層
６    反射層
７    保護基板
８    接着層
１１    入力装置
１２    制御装置
１３    表示装置
１４    インターフェイス
１５    光ディスクドライブ
１６    記録装置
２１    第１基板
２２    第１色素含有記録層
２４    第１保護層
２６    第１反射層
３１    第２基板
３２    第２色素含有記録層
３４    第２保護層
３６    第２反射層
４０    接着層
１００    第１情報層
１０１    第１基板
１０２    第１色素含有記録層
１０３    第１反射層
１０４    第１保護層
２００    第２情報層
２０１    第２基板
２０２    第２反射層
２０３    第２色素含有記録層
２０４    第２保護層
３００    中間層
ｓｐａｃｅ    スペース
ｍａｒｋ    マーク
Ｃｏｏｌｉｎｇ  Ａｒｅａ    クーリング領域
Ｔ    基本クロック周期
ｎ    ３以上の整数
ｎ’    ３以上の整数
ｐｓ    直前のスペース長
ｃｍ    記録マーク長
Ｗ０    最短長マークの先端部パルス記録パワー
Ｗ１    最短長マークの後端部パルス記録パワー及び、短い方から２番目以降の長さのマークのパルス先端部記録パワー
Ｗ２    短い方から２番目以降の長さのマークのパルス後端部記録パワー
Ｗ３    短い方から２番目以降の長さのマークの上乗せなしパワー
【図１】
2006344252.tif 000008
【図２】
2006344252.tif 000009
【図３】
2006344252.tif 000010
【図４】
2006344252.tif 000011
【図５】
2006344252.tif 000012
【図６】
2006344252.tif 000013
【図７】
2006344252.tif 000014